(57)【要約】【課題】本発明は、導光板の輝度を高めつつ光源近傍のホットスポットを抑制すると共に、導光板の入射面に直交する方向の輝度変化を抑制するエッジライト方式のバックライトと、当該バックライトを備えた液晶表示装置の提供を目的とする。【解決手段】本発明のバックライトは、複数の光源１と、光源１からの入射光を面状光として出射する導光板２とを備える、エッジライト方式のバックライトであって、導光板２は、光源１に対向し、照明光が入射される入射面２１と、入射面２１に垂直で、入射面に入射した照明光を出射する出射面２２とを有し、出射面２２には、入射面２１に垂直な方向に延在し、入射面に平行な断面が略三角形状である複数の筋状の突起２２ａが繰り返し形成され、突起２２ａの幅は、少なくとも光源１と対応する位置では、入射面２１から離れるに従い連続的に大きくなる。【選択図】図６
2013143326.tif 000002
【特許請求の範囲】
【請求項１】
複数の点状の光源と、
前記光源からの入射光を面状光として出射する導光板とを備える、エッジライト方式のバックライトであって、
前記導光板は、
前記光源に対向し、前記照明光が入射される入射面と、
前記入射面に垂直で、前記入射面に入射した前記照明光を出射する出射面とを有し、
前記出射面には、前記入射面に垂直な方向に延在し、前記入射面に平行な断面が略三角形状である複数の筋状の突起が繰り返し形成され、
前記突起の幅は、少なくとも前記光源と対応する位置では、前記入射面から離れるに従い連続的に大きくなることを特徴とする、
バックライト。
【請求項２】
前記入射面は前記導光板の第１の端面であり、
前記突起の幅は、前記導光板の前記第１の端面に対向する第２の端面の側で最も大きい、
請求項１に記載のバックライト。
【請求項３】
前記入射面は前記導光板の第１の端面及び前記第１の端面に対向する第２の端面であり、
前記突起の幅は前記第１、第２の端面の中間で最も大きい、
請求項１に記載のバックライト。
【請求項４】
前記突起は、前記光源間に対応する位置において隙間無く形成され、かつその幅が前記導光板の両端面に亘って一定である、
請求項１〜３のいずれかに記載のバックライト。
【請求項５】
前記突起の前記入射面に平行な断面は、前記入射面から離れるにつれて相似形を保って大きくなる、
請求項１〜４のいずれかに記載のバックライト。
【請求項６】
前記突起の先端は所定の曲率を有する、
請求項５に記載のバックライト。
【請求項７】
請求項１〜６のいずれかに記載のバックライトと、
前記バックライトの前記出射面からの光を受ける液晶パネルとを備える、
液晶表示装置。
【発明の詳細な説明】
【技術分野】
【０００１】
本発明はバックライトの輝度ムラを抑える技術に関する。
【背景技術】
【０００２】
液晶表示装置の基本構成は、バックライトと液晶表示素子（液晶パネル）である。バックライトには、光源の取り付け位置に応じて直下型方式やエッジライト方式などがある。カーナビゲーションなどの車載用ディスプレイ、ノートパソコンなどの液晶表示装置では、コンパクト化の観点からエッジライト方式が多用されている。
【０００３】
エッジライト方式では、透明部材の導光板側面に対向してＬＥＤ（Light Emitting Diode）などの光源が設けられる。光源からの放射光は当該側面から導光板に入射し、入射面に直交する出射面と出射面に対向する反射面との間で全反射を繰り返しながら導光板内を伝播しつつ出射面から出射する。出射面からの出射光は多数の光学シートを介して液晶表示パネルに照射される。
【０００４】
導光板の正面方向の輝度を高めるため、導光板の反射面にスクリーン印刷によるドット形成やサンドブラストによるシボ加工を施し、これらに当たって拡散反射した光を出射面から出射させるものがある。また、反射面に微小なプリズムを形成し、プリズム面で屈折あるいは反射した光が導光板の出射面から正面方向に出射するよう設計されたものがある。
【０００５】
ところで、導光板の光源近傍では、複数の点光源からの光が交差する領域で輝度が他の部分よりも高くなるホットスポットが生じることがある。こうした輝度ムラや輝線は、反射面や出射面に形成されたプリズムの集光効果によって特に顕著に見える傾向があり、液晶表示装置の表示品位を低下させるものとなる。
【０００６】
このような問題を解決するために、特許文献１は、導光板の出射面に複数のプリズムを配列するものの、入射面近傍のホットスポットが発生する領域またはその周辺ではプリズムを除去することによって、導光板の輝度を高めつつホットスポットの発生を抑制する構造を提案している。
【先行技術文献】
【特許文献】
【０００７】
【特許文献１】特開２００７−１４１８１１号公報（５頁４８行〜６頁７行、第６，７図）
【発明の概要】
【発明が解決しようとする課題】
【０００８】
特許文献１に開示されたバックライトユニットでは、導光板の出射面のうち、入射面からある程度離れた領域では複数のプリズムを配列することにより、光を正面方向に集光して効率良く取り出している。一方、入射面近傍ではプリズムを除去することにより光の取り出し量を調節し、光源近傍に発生するホットスポットを抑制している。
【０００９】
しかしながら、入射面から離れた位置に突然プリズムを設けると、入射面に直交する方向の輝度分布が不均一になるという問題がある。すなわち、プリズムが形成されない領域では輝度が低く、プリズムが形成される領域で急激に輝度が大きくなる。
【００１０】
本発明は上述の問題点に鑑み、導光板の輝度を高めつつ光源近傍のホットスポットを抑制すると共に、導光板の入射面に直交する方向の輝度変化を抑制するエッジライト方式のバックライトと、当該バックライトを備えた液晶表示装置の提供を目的とする。
【課題を解決するための手段】
【００１１】
本発明のバックライトは、複数の点状光源と、点状光源からの入射光を面状光として出射する導光板とを備えるエッジライト方式のバックライトであって、導光板は、点状光源に対向し照明光が入射される入射面と、入射面に垂直で入射面に入射した照明光を出射する出射面とを有し、出射面には、入射面に垂直な方向に延在し、入射面に平行な断面が略三角形状である複数の筋状の突起が繰り返し形成され、突起の幅は、少なくとも点状光源と対応する位置では、入射面から離れるに従い連続的に大きくなる。
【発明の効果】
【００１２】
本発明のエッジライト方式のバックライトにおいて、導光板の出射面には、入射面に垂直な方向に延在し、入射面に平行な断面が略三角形状である複数の筋状の突起が繰り返し形成され、当該突起の幅は、少なくとも点状光源と対応する位置では、入射面から離れるに従い連続的に大きくなるので、導光板の輝度を高めつつ入射面近傍のホットスポットを抑制すると共に、入射面に直交する方向の輝度変化を抑制することが可能である。
【図面の簡単な説明】
【００１３】
【図１】実施の形態１のバックライトを示す分解斜視図である。
【図２】図１に示す導光板の要部拡大図である。
【図３】図１に示す導光板の要部拡大図である。
【図４】図１に示す導光板の要部拡大図である。
【図５】図１に示すバックライトの側面図である。
【図６】図１に示す導光板を出射面側から見た平面図である。
【図７】図１に示す導光板の出射面の輝度分布図である。
【図８】図１に示す導光板の輝度特性を示す図である。
【図９】図１に示す導光板の輝度特性を示す図である。
【図１０】比較例１の導光板の輝度分布図である。
【図１１】比較例１の導光板の輝度特性を示す図である。
【図１２】比較例１の導光板の輝度特性を示す図である。
【図１３】比較例２の導光板の輝度分布図である。
【図１４】比較例２の導光板の輝度特性を示す図である。
【図１５】比較例２の導光板の輝度特性を示す図である。
【図１６】比較例１の導光板と、出射面に凸部を設けない導光板の輝度特性を示す図である。
【図１７】図１に示す導光板の輝度特性と、比較例１，２の導光板の輝度特性を示す図である。
【図１８】図１に示す導光板の輝度特性と、比較例１，２の導光板の輝度特性を示す図である。
【図１９】実施の形態２のバックライトを示す分解斜視図である。
【図２０】図１９に示す導光板の要部拡大図である。
【図２１】図１９に示す導光板の要部拡大図である。
【図２２】図１９に示す導光板を出射面側から見た平面図である。
【図２３】図１９に示す導光板の出射面の輝度分布図である。
【図２４】図１９に示す導光板の輝度特性を示す図である。
【図２５】図１９に示す導光板の輝度特性を示す図である。
【図２６】図１９に示す導光板の輝度特性と、比較例１，２の導光板の輝度特性を示す図である。
【図２７】図１９に示す導光板の輝度特性と、比較例１，２の導光板の輝度特性を示す図である。
【図２８】実施の形態３のバックライトを示す分解斜視図である。
【図２９】図２８に示す導光板の要部拡大図である。
【図３０】図２８に示す導光板の要部拡大図である。
【図３１】図２８に示す導光板の要部拡大図である。
【図３２】図２８に示す導光板を出射面側から見た平面図である。
【図３３】図２８に示す導光板の出射面の輝度分布図である。
【図３４】図２８に示す導光板の輝度特性を示す図である。
【図３５】図２８に示す導光板の輝度特性を示す図である。
【図３６】実施の形態４のバックライトを示す分解斜視図である。
【図３７】図３６に示す導光板の要部拡大図である。
【図３８】図３６に示す導光板の要部拡大図である。
【図３９】実施の形態４のバックライトを出射面側から見た平面図である。
【図４０】図３６に示す導光板の輝度特性を示す図である。
【図４１】図３６に示す導光板の輝度特性を示す図である。
【図４２】実施の形態５のバックライトを示す分解斜視図である。
【図４３】図４２に示す導光板の要部拡大図である。
【図４４】図４２に示す導光板の要部拡大図である。
【図４５】図４２に示す導光板の出射面における凸部の高さを示す図である。
【図４６】図４２に示す導光板の輝度特性を示す図である。
【図４７】図４２に示す導光板の輝度特性を示す図である。
【図４８】実施の形態６のバックライトを示す分解斜視図である。
【図４９】図４８に示す導光板の要部拡大断面図である。
【図５０】図４８に示す導光板の要部拡大断面図である。
【図５１】図４８に示す導光板の出射面の輝度分布図である。
【図５２】図４８に示す導光板の輝度特性を示す図である。
【図５３】図４８に示す導光板の輝度特性を示す図である。
【図５４】実施の形態７の液晶表示装置を示す分解斜視図である。
【発明を実施するための形態】
【００１４】
（Ａ．実施の形態１）
＜Ａ−１．構成＞
図１は、本実施の形態に係るバックライトの分解斜視図である。なお、本明細書で参照する図面には、理解を容易にするために一部の構成を誇張して示すものがある。本実施の形態に係るバックライトはエッジライト方式のバックライトであり、複数の点状の光源１と、導光板２と、反射シート３を備える。
【００１５】
導光板２は、光源１と対向し、光源１の放射光が入射される入射面２１と、入射面２１に垂直で、入射面２１に入射した光を面状光として液晶パネル（図５４参照）に出射する出射面２２と、出射面２２に対向する底面２３と、入射面２１に対向する対向面２５（図６参照）と、入射面２１から対向面２５にかけて延びる側面２４とを備える。
【００１６】
光源１にはＬＥＤが用いられ、その配列方向が入射面２１の長手方向と一致するように入射面２１に対向して設けられる。その結果、光源１の放射光が導光板２の入射面２１に入射する。以下、入射面２１の長手方向を第１方向と呼ぶ。
【００１７】
また、導光板２の底面２３下方には反射シート３が設けられる。反射シート３は、導光板２の底面２３から出射した光を散乱反射させて、導光板２に再入射させる。
【００１８】
導光板２は、屈折率が１．５８のポリカーボネート（ＰＣ）により形成されている。しかし材質はこれに限るものではなく、ポリメチルメタクリレート（ＰＭＭＡ）や環状オレフィンコポリマー（ＣＯＣ）など一般的に導光板に用いられるものでよい。また、導光板２は、板厚（側面２４の高さ）が一定な平板形状である。しかし形状はこれに限るものではなく、例えば入射面２１から遠ざかるほど板厚が小さくなる楔形状であっても良い。
【００１９】
図２は図１に示す領域Ａの拡大図であり、入射面２１の形状を示している。なお、この図では出射面２２を省略し入射面２１のみを示している。図２に示すように、入射面２１は長手方向に向かって円弧が連続した波形状である。すなわち、出射面２２と平行な断面が円弧形状を呈する複数の凸部２１ａが、導光板２の厚さ方向に形成されている。光源１からの放射光は入射面２１の凸部２１ａに到達すると、第１方向に散乱されて導光板２に入射する。
【００２０】
図３は図１に示す領域Ｂの拡大図であり、底面２３の形状を示している。導光板２の底面２３には凸状のプリズム２３ａが複数形成されている。プリズム２３ａは導光板２の底面２３上を第１方向に延びて複数形成される。
【００２１】
図５は、図１に示したバックライトを導光板の側面２４方向から見た図である。導光板２の底面２３には、プリズム２３ａが所定の間隔で設けられており、プリズム２３ａの間を平面領域２３ｂとする。
【００２２】
以下、図５を参照して、光源１から導光板２の入射面２１に入射した光の軌跡を説明する。ある入射光１Ｌ１は、プリズム２３ａで屈折し、さらに平面領域２３ｂを通って伝播方向を出射面２２に向かう方向に変えられ、出射面２２から出射する。また別の入射光１Ｌ２は、プリズム２３ａから導光板２の下方へ出射され、その後反射シート３に反射して再び導光板２に入射した後、出射面２２から正面方向に放射される。
【００２３】
また別の入射光１Ｌ３は平面領域２３ｂに到達し、全反射により導光板２の内部をさらに対向面２５側へ伝播する。プリズム２３ａは、導光板２の底面２３に入射面２１から離れるに従って個数密度が高くなるように配列されていて、出射面２２から正面方向に照射される光が出射面２２の面内で均一になるよう調整されている。
【００２４】
図４は図１に示す領域Ｃの拡大図であり出射面２２の形状を示している。なお、この図は入射面２１を省略し出射面２２のみを示している。図４に示すように、出射面２２には入射面２１と平行な断面が三角形状の筋状の突起である凸部２２ａが繰り返し形成されている。隣接する凸部２２ａ間は平面部２２ｂとなる。凸部２２ａは、出射面２２の入射面２１側から対向面２５側に亘って入射面２１と垂直な第２方向に伸びる筋状の突起であり、第１方向に沿った配列ピッチは一定で１００μｍとする。
【００２５】
以下、入射面２１と垂直な向きを第２方向と称する。また、平面部２２ｂの幅に対する凸部２２ａの幅の比は、入射面２１側から第２方向に向かうにつれて次第に大きくなる。
【００２６】
図６は、導光板２を出射面２２側から見た平面図である。図６に示すように、出射面２２の入射面２１に近い領域では凸部２２ａの幅に対して平面部２２ｂの幅が広い。出射面２２上を入射面２１側から第２方向に向かうにつれて、凸部２２ａは例えばその幅が漸次広がり、平面部２２ｂの幅は狭くなっていく。対向面２５側では隣り合う凸部２２ａはほぼ接していて、凸部２２ａ間に平面部２２ｂはほとんど形成されていない。ここで、第２方向に沿った凸部２２ａの幅の増加の仕方は、連続していれば線形的でも非線形的でもよく、第２方向の輝度分布をなだらかにする観点から適宜調整する。
【００２７】
＜Ａ−２．輝度分布＞
次に、導光板２の輝度分布について説明する。図７は、導光板２の出射面２２における輝度分布のシミュレーション結果を示している。なお、図７は出射面２２のうち入射面２１近傍の一部を示したもので、全領域を示しているものではない。また、輝度の高さを色の濃淡で表現しており、色が濃いほど輝度が高いことを示している。図７より、表示エリア内で輝度ムラは認められるが、局所的に輝度が高くなるホットスポットは発生していないことが分かる。
【００２８】
図８は、表示エリア内の光源１近傍における出射面２２の第１方向に沿った相対輝度変化を示している。横軸は距離を示し、縦軸は所定位置の輝度を１とした相対輝度を示している。Ａ１で示すグラフは図７のＡ１−Ａ１断面の輝度分布を、Ａ２で示すグラフは図７のＡ２−Ａ２断面の輝度分布を示している。なお、図７のＡ１−Ａ１断面は表示エリア端部から約２．５ｍｍ離れた位置にあり、Ａ２−Ａ２断面は表示エリア端部から約１０ｍｍ離れた位置にある。図より、Ａ１−Ａ１断面の輝度変化が±２割以内であり、Ａ２−Ａ２断面の輝度変化はＡ１−Ａ１断面のそれよりも小さいことが分かる。
【００２９】
図９は、出射面２２の第２方向に沿った輝度変化を示している。横軸は表示エリア端部からの距離を示し、縦軸は輝度を示している。Ａ３で示すグラフは図７の光源対応領域であるＡ３−Ａ３断面の輝度分布を示し、Ａ４で示すグラフは図７の光源間対応領域であるＡ４−Ａ４断面の輝度分布を示している。ここで光源対応領域とは、光源と対応する位置にある出射面の領域、すなわち光源１から第２方向に沿った出射面の領域のことを示している。Ａ３−Ａ３断面の延長線上には光源１が配置されている。また光源間対応領域とは、光源１間に対応する出射面の領域、すなわち隣接する２つの光源１の間の領域から第２方向に沿った出射面の領域を示している。Ａ４−Ａ４断面の延長線上に光源１は配置されていない。図より、Ａ３−Ａ３断面、Ａ４−Ａ４断面共に、入射面２１から離れるにつれてなだらかに輝度が増加していることが分かる。
【００３０】
＜Ａ−３．比較例＞
次に、比較例１のバックライトについて説明する。
【００３１】
比較例１のバックライトの構成は、導光板の出射面の形状を除き本実施の形態のバックライトと同様である。比較例１の導光板では、出射面２２に隙間無く凸部２２ａが形成されており、隣接する凸部２２ａ間に平面部２２ｂが存在しない。なお、以下の説明では本実施の形態の導光板２も比較例１の導光板にも、各面については同一の参照符号を用いる。
【００３２】
図１０は、比較例１の導光板の出射面内輝度分布のシミュレーション結果である。輝度の高さを色の濃淡で表現しており、色が濃いほど輝度が高いことを示している。図より、表示エリアの入射面２１近傍でホットスポットが発生していることが分かる。
【００３３】
図１１は、比較例１の導光板において、表示エリア内の光源１近傍における出射面２２の第１方向に沿った相対輝度変化を示している。横軸は距離を、縦軸は所定位置の輝度を１とした相対輝度を示している。図１１中、Ｂ１で示すグラフは図１０のＢ１−Ｂ１断面の輝度分布を、Ｂ２で示すグラフは図１０のＢ２−Ｂ２断面の輝度分布を示している。なお、図１０のＢ１−Ｂ１断面は表示エリア端部から約２．５ｍｍ、Ｂ２−Ｂ２断面は表示エリア端部から約１０ｍｍの位置である。図より、Ｂ１−Ｂ１断面で輝度変化が±３割以上、Ｂ２−Ｂ２断面で±２割以上の輝度変化が生じていることが分かる。
【００３４】
図１２は、比較例１の導光板において、出射面２２の第２方向に沿った輝度変化を示している。横軸は表示エリア左端からの距離を、縦軸は輝度を示している。図１２中、Ｂ３で示すグラフは図１０の光源対応領域であるＢ３−Ｂ３断面の輝度分布を、Ｂ４で示すグラフは図１０の光源間対応領域であるＢ４−Ｂ４断面の輝度分布を示している。図より、Ｂ３−Ｂ３断面ではホットスポットの発生領域で急激に輝度が変化するが、Ｂ４−Ｂ４断面では入射面２１から離れるにつれて輝度がなだらかに増加していることが分かる。
【００３５】
次に、比較例２のバックライトについて説明する。比較例２のバックライトは、出射面２２の入射面近傍領域、すなわち入射面２１と接する端面から所定幅の領域では凸部２２ａを形成せず、それ以外の構成は比較例１と同様である。
【００３６】
図１３は、比較例２の導光板の出射面内輝度分布のシミュレーション結果である。輝度の高さを色の濃淡で表現しており、色が濃いほど輝度が高いことを示している。図より、表示エリアの入射面近傍領域ではなだらかな輝度分布で、ホットスポットの発生も見られない。しかし、凸部２２ａの形成開始位置付近で不連続な輝度分布が生じている。
【００３７】
図１４は、比較例２の導光板において、表示エリア内の光源１近傍における出射面２２の第１方向に沿った相対輝度変化を示している。横軸は距離を、縦軸は所定位置の輝度を１とした相対輝度を示している。図１４中、Ｃ１で示すグラフは図１３のＣ１−Ｃ１断面の輝度分布を、Ｃ２で示すグラフは図１３のＣ２−Ｃ２断面の輝度分布を示している。なお、図１３のＣ１−Ｃ１断面は表示エリア端部から約２．５ｍｍ、Ｃ２−Ｃ２断面は表示エリア端部から約１０ｍｍの位置である。図より、Ｃ１−Ｃ１断面では±２割の輝度変化が存在するものの、Ｂ２−Ｂ２断面では±１割程度の輝度変化に抑制されていることが分かる。
【００３８】
図１５は、比較例２の導光板において、出射面２２の第２方向に沿った輝度分布を示している。横軸は表示エリア左端からの距離を、縦軸は輝度を示している。図１５中、Ｃ３で示すグラフは図１３の光源対応領域であるＣ３−Ｃ３断面の輝度分布を、Ｃ４で示すグラフは図１３の光源間対応領域であるＣ４−Ｃ４断面の輝度分布を示している。図より、Ｃ３−Ｃ３断面、Ｃ４−Ｃ４断面共に、凸部の形成開始位置近傍で急激に輝度が変化することが分かる。
【００３９】
ここで、出射面２２に形成された凸部２２ａの効果について説明する。図１６は、図１２に示した比較例１の導光板の光源間対応領域であるＢ４−Ｂ４断面の輝度分布を示している。また比較のために、出射面２２の全面に亘って凸部２２ａが形成されない導光板において、光源間対応領域の第２方向に沿った輝度分布をＢ４Ｘで示している。
【００４０】
図１６から、導光板の出射面２２に凸部２２ａを形成することで、導光板から放射される輝度が増加することが分かる。これは、凸部２２ａがなければ出射面２２から斜めに放射される光線が、凸部２２ａの斜面で屈折することにより出射面２２から正面方向に放射されるという、凸部２２ａの集光効果によるものである。
【００４１】
すなわち、図１５の曲線Ｃ４で示される比較例２の導光板における光源間対応領域の輝度分布は、凸部２２ａが形成されない入射面近傍領域では図１６の曲線Ｂ４Ｘで示され、凸部２２ａが形成される入射面２１から離れた領域では図１６の曲線Ｂ４で示される。このため、比較例２の第２方向輝度分布は、凸部形成領域の開始位置近傍で急激に変化する。このような導光板では凸部形成領域の開始位置近傍に暗線が生じる等、表示品位が著しく低下する。
【００４２】
＜Ａ−４．比較＞
以上のことから、出射面２２に凸部２２ａを設けることにより輝度が増加するが、入射面近傍領域ではホットスポットが発生することが分かる。また、ホットスポットの発生を避けるために入射面近傍領域を避けて凸部２２ａを設けると、凸部２２ａ形成開始位置付近で輝度が急激に変化することが分かる。
【００４３】
本実施の形態では上述の特性を考慮した上で、出射面２２に入射面２１と平行な断面が三角形状の凸部２２ａを複数形成する。すなわち、＜Ａ−１＞で述べたように、入射面２１近傍で凸部２２ａ間に平面部２２ｂを形成し、凸部間の平面部２２ｂの幅に対する凸部２２ａの幅の比を、入射面２１側から第２方向に向かって次第に大きくなるように設定する。これにより、導光板の輝度を高めつつ入射面近傍でホットスポットを抑制し、さらに第２方向の輝度変化をなだらかにしている。
【００４４】
図１７および図１８は、本実施の形態、比較例１、および比較例２の輝度分布を比較して示したものである。図１７（ａ）では、表示エリア端部から約２．５ｍｍの第１方向断面における輝度分布を本実施の形態（Ａ１）、比較例１（Ｂ１）、および比較例２（Ｃ１）で比較して示している。図１７（ｂ）では、表示エリア端部から約１０ｍｍの第１方向断面における輝度分布を実施の形態１（Ａ２）、比較例１（Ｂ２）、および比較例２（Ｃ２）で比較して示している。図１８（ａ）では、光源対応領域の第２方向断面における輝度分布を本実施の形態（Ａ３）、比較例１（Ｂ３）、および比較例２（Ｃ３）で比較して示している。図１８（ｂ）では、光源間対応領域の第２方向断面における輝度分布を本実施の形態（Ａ４）、比較例１（Ｂ４）、および比較例２（Ｃ４）で比較して示している。
【００４５】
図１７（ａ）によれば、表示エリア端部から約２．５ｍｍ離れた第１方向の輝度分布について、本実施の形態（Ａ１）は比較例２（Ｃ１）とほとんど同様であり、比較例１（Ｂ１）と比べて輝度変化は小さく輝度ムラが改善されている。
【００４６】
図１７（ｂ）によれば、表示エリア端部から約１０ｍｍ離れた第１方向の輝度分布について、本実施の形態（Ａ２）は比較例１（Ｂ２）より輝度変化が小さいが、比較例２（Ｃ２）よりは輝度変化が大きい。
【００４７】
図１８（ａ）に示す光源対応領域の第２方向輝度分布では、比較例１（Ｂ３）が入射面２１近傍で輝度ピークを示し、比較例２（Ｃ３）が凸部２２ａ形成領域付近で急激な輝度変化を示しているのに対し、本実施の形態（Ａ３）ではなだらかに変化している。
【００４８】
図１８（ｂ）に示す光源間対応位置の第２方向輝度分布では、比較例２（Ｃ４）が凸部２２ａ形成領域付近で急激な輝度変化を示しているのに対して、本実施の形態（Ａ４）ではなだらかに変化している。
【００４９】
以上の結果を総合すると、本実施の形態のバックライトではホットスポットの発生を抑制する、すなわち第１方向の輝度変化をなだらかにすると共に、第２方向の輝度変化もなだらかになっていることが分かる。
【００５０】
＜Ａ−５．効果＞
本実施の形態のエッジライト方式のバックライトでは、出射面２２において、入射面２１に垂直な方向に延在し、入射面２１に平行な断面が略三角形状である複数の筋状の凸部２２ａ（突起）が繰り返し形成することにより、表示面全体の輝度を大きくしている。そして、当該突起の幅は、少なくとも光源１と対応する位置では、入射面２１から離れるに従い連続的に大きくなり、対向面２５側で最も大きくなるので、入射面２１近傍でホットスポットを抑制しつつ、第２方向の輝度分布がなだらかになる。
【００５１】
（Ｂ．実施の形態２）
実施の形態１のバックライトによれば、入射面から第２方向に向かう輝度変化がなだらかであった。しかし、入射面の長手方向（第１方向）にはある程度の輝度ムラが残っており、例えば図７のＡ１−Ａ１断面では±２割程度の輝度変化が生じていた。そこで、第１方向の輝度ムラをさらに改善する実施の形態２について次に説明する。
【００５２】
＜Ｂ−１．構成＞
以下の図面においては、実施形態１の構成要素と同じ機能を有する構成要素に同じ参照符号を付し、その説明を省略する。
【００５３】
図１９は、実施の形態２のバックライトを示す分解斜視図である。実施の形態２のバックライトは、導光板５の出射面５２の形状のみが実施の形態１のバックライトと異なる。そのため、以下には導光板５について説明する。
【００５４】
導光板５において、入射面５１、底面５３、側面５４は夫々、実施の形態１の導光板２における入射面２１、底面２３、側面２４と同様である。
【００５５】
図２０は、図１９に示す領域Ｄの拡大図である。この図は、出射面５２の光源対応領域の形状を示している。出射面５２の光源対応領域は、実施の形態１の導光板２の出射面２２と同様の形状を有している。
【００５６】
すなわち図２０に示すように、入射面５１と平行な断面が三角形状である凸部５２ａが繰り返し形成される。隣接する凸部５２ａの間の領域は平面部５２ｂとなる。凸部５２ａは、出射面５２の入射面５１側から入射面５１の対向面５５側に亘って入射面５１と垂直な第２方向に伸びる筋状の突起であり、第１方向に沿った配列ピッチは一定で１００μｍとする。また、平面部５２ｂの幅に対する凸部５２ａの幅の比は、入射面５１側から第２方向に向かうにつれて、次第に大きくなり、対向面５５側で最大になる。
【００５７】
図２１は、図１９に示す領域Ｅの拡大図である。この図は、出射面５２の光源間対応領域の形状を示している。光源間対応領域でも凸部５２ａが形成されるが、光源対応領域とは違って凸部５２ａが隙間無く形成され、平面部は存在しない。光源間対応領域における凸部５２ａの配列ピッチは、光源対応領域における凸部５２ａの配列ピッチと共通である。また、光源間対応領域における凸部５２ａの幅は、入射面５１側から対向面５５側まで一定である。
【００５８】
図２２は、導光板５を出射面５２側から見た平面図である。図２２に示すように、光源対応領域のうち入射面５１に近い領域では、凸部５２ａの幅に対して平面部５２ｂの幅が広い。しかし、入射面５１から第２方向に沿って光源１から遠ざかるにつれ、凸部５２ａは例えばその幅が徐々に広がっていく。対向面５５側では隣接する凸部５２ａはほぼ接しており、凸部５２ａ間に平面部５２ｂはほとんど形成されていない。ここで、第２方向に沿った凸部５２ａの幅の増加の仕方は、連続的な増加であれば線形的でも非線形的でも良く、第２方向の輝度分布をなだらかにする観点から適宜調整する。
【００５９】
一方、光源間対応領域では、入射面５１側から対向面５５側に至るまで凸部５２ａの幅は一定である。また、凸部５２ａは隙間無く配列されており隣接する凸部５２ａ間に平面部は形成されない。
【００６０】
＜Ｂ−２．輝度分布＞
次に、導光板５の輝度分布について説明する。図２３は、導光板５の出射面５２における輝度分布のシミュレーション結果を示している。なお、図２３は出射面５２の一部を示したものであり、対向面５５側まで示しているものではない。また、輝度の高さは色の濃淡で表現し、色が濃いほど輝度が高いことを示している。図に示すように、表示エリア内で輝度ムラは認められるが、ホットスポットは発生していない。
【００６１】
図２４は、表示エリア内の光源１近傍における出射面５２の第１方向に沿った相対輝度変化を示している。横軸は距離を、縦軸は所定位置の輝度を１とした相対輝度を示している。図２４中、Ｄ１で示すグラフは図２３のＤ１−Ｄ１断面の輝度分布を、Ｄ２で示すグラフは図２３のＤ２−Ｄ２断面の輝度分布を示している。なお、Ｄ１−Ｄ１断面は表示エリア端部から約２．５ｍｍの位置にあり、Ｄ２−Ｄ２断面は表示エリア端部から約１０ｍｍの位置にある。図から、Ｄ１−Ｄ１断面、Ｄ２−Ｄ２断面共に輝度変化が±１割以内であることが分かる。
【００６２】
図２５は、出射面５２の第２方向に沿った輝度変化を示している。横軸は表示エリア左端からの距離を、縦軸は輝度を示している。図２５中、Ｄ３で示すグラフは図２３の光源対応領域であるＤ３−Ｄ３断面の輝度分布であり、Ｄ４で示すグラフは図２３の光源間対応領域であるＤ４−Ｄ４断面の輝度分布を示している。図から、Ｄ３−Ｄ３断面、Ｄ４−Ｄ４断面共に、入射面５１から離れるにつれてなだらかに輝度が増加していることが分かる。
【００６３】
次に、実施の形態２のバックライトを実施の形態１で説明した比較例１，２と対比し、その効果を説明する。なお、説明を繰り返すが、比較例１は出射面の全面に隙間無く凸部を形成した導光板、比較例２は入射面近傍の出射面から凸部を除去した点のみ比較例１と異なる構成の導光板を採用している。
【００６４】
図２６および図２７は、本実施の形態、比較例１、および比較例２の輝度分布を比較して示したものである。図２６（ａ）では、表示エリア端部から約２．５ｍｍの第１方向断面における輝度分布を本実施の形態（Ｄ１）、比較例１（Ｂ１）、および比較例２（Ｃ１）で比較して示している。図２６（ｂ）では、表示エリア端部から約１０ｍｍの第１方向断面における輝度分布を本実施の形態（Ｄ２）、比較例１（Ｂ２）、および比較例２（Ｃ２）で比較して示している。なお、図２６（ａ），（ｂ）において横軸は距離を、縦軸は所定の位置における輝度を１とした場合の相対輝度を示している。
【００６５】
図２７（ａ）では、光源対応領域の第２方向断面における輝度分布を本実施の形態（Ｄ３）、比較例１（Ｂ３）、および比較例２（Ｃ３）で比較して示している。図２７（ｂ）では、光源間対応領域の第２方向断面における輝度分布を、実施の形態１（Ｄ４）、比較例１（Ｂ４）、および比較例２（Ｃ４）で比較して示している。なお、図２７（ａ），（ｂ）において横軸は表示エリア左端からの距離を、縦軸は輝度を示している。
【００６６】
図２６（ａ）では、表示エリア端部から約２．５ｍｍ離れた第１方向の輝度分布について、本実施の形態（Ｄ１）は比較例１（Ｂ１）および比較例２（Ｃ１）と比べて輝度変化が小さく、輝度ムラが改善されていることが分かる。
【００６７】
また、図２６（ｂ）では、表示エリア端部から約１０ｍｍ離れた第１方向の輝度分布について、本実施の形態（Ｄ２）は比較例１（Ｂ２）に比べて輝度変化が小さく、輝度ムラが改善されていることが分かる。また、本実施の形態（Ｄ２）は比較例２（Ｃ２）と同等であることが分かる。よって、本実施の形態の導光板５は、第１方向の輝度ムラが比較例１，２に比べて改善されているといえる。
【００６８】
図２７（ａ）に示す光源対応領域の輝度分布では、比較例１（Ｂ３）が入射面近傍で輝度ピークを示し、比較例２（Ｃ３）は凸部形成開始位置近傍で急激な輝度変化を示しているのに対し、本実施の形態（Ｄ３）はなだらかに変化している。
【００６９】
また、図２７（ｂ）に示す光源間対応領域の輝度分布では、比較例２（Ｃ４）では凸部形成開始位置近傍で急激な輝度変化を示しているのに対して、本実施の形態（Ｄ４）ではなだらかに変化している。よって、実施の形態２の第２方向の輝度ムラは比較例１，２に比べて改善されているといえる。
【００７０】
以上の結果を総合すると、本実施の形態のバックライトではホットスポットの発生を抑制する、すなわち第１方向の輝度変化をなだらかにすると共に、第２方向の輝度変化もなだらかになっていることが分かる。また、第１方向の輝度変化は±１割程度と、実施の形態１よりも良好な輝度特性が得られた。
【００７１】
＜Ｂ−３．効果＞
本実施の形態のバックライトでは、導光板５の出射面５２の光源間対応領域で隙間無く凸部５２ａ（突起）が形成され、かつその幅は入射面５１側から対向面５５側に亘って一定に形成される。そのため、入射面に近い領域では光源対応領域よりも光源間対応領域での集光効果が高くなるので、両領域での輝度の差が緩和され、すなわち第１方向の輝度ムラが抑制される。
【００７２】
（Ｃ．実施の形態３）
＜Ｃ−１．構成＞
以下の図面においては、実施の形態１の構成要素と同じ機能を有する構成要素に同じ参照符号を付し、その説明を省略する。
【００７３】
図２８は、本実施の形態のバックライトを示す分解斜視図である。本実施の形態のバックライトは、複数の点状の光源１と、導光板６と、反射シート３を備える。光源１が導光板６の両端面に対向して配置される点が、実施の形態１のバックライトとは異なる。すなわち、光源１は、導光板６の一方の端面たる入射面６１に対向し、その長手方向（第１方向）に沿って配置される他、入射面６１の対向面たる入射面６５に対向し、その長手方向（第１方向）に沿って配置される。
【００７４】
反射シート３の構成は、実施の形態１に示すバックライトと同様であるため、説明を省略する。
【００７５】
導光板６は、入射面６１，６５の他、入射面６１，６５に入射した光を面状光として液晶パネル（図示せず）に出射する、入射面６１，６５に垂直な出射面６２と、出射面６２に対向する底面６３と、入射面６１から入射面６５にかけて延びる側面６４とを備える。
【００７６】
導光板６の形状は、図２８には板厚（側面６４の高さ）に変化がない平板形状を示しているが、これに限るものではない。例えば、入射面６１，６５から遠ざかるほど板厚が大きくなり、導光板６の中央部で最大の板厚となるような、船形形状を呈していてもよい。
【００７７】
図２９は図２８に示す領域Ｆの拡大図、図３０は図２８に示す領域Ｇの拡大図である。これらの図に示すように、導光板６の底面６３には凸状のプリズム６３ａが形成されている。光源１から放射され入射面６１，６５から入射した一部の光は、プリズム６３ａにより屈折あるいは反射して出射面６２に向かって方向を変え、出射面６２から導光板６の上方へ放射される。
【００７８】
プリズム６３ａは導光板６の底面６３に複数形成されているが、その第２方向断面形状は、図２９，３０に示すように、導光板６の中央部を境にして左右対称となるように形成される。また、プリズム６３ａは、入射面６１，６５から離れるにつれて個数密度が高くなり、導光板中央部で最も個数密度が高くなるように形成されている。こうして、出射光の輝度が出射面６２内で均一に分布するよう調整されている。
【００７９】
入射面６１，６５の形状は、実施の形態１の入射面２１の形状と同様であるため、説明を省略する。
【００８０】
図３１は、図２８に示す領域Ｈの拡大図である。図３１に示すように、出射面６２には入射面６１と平行な断面が三角形状の凸部６２ａが、平面部６２ｂと交互に複数形成されている。凸部６２ａと平面部６２ｂは、出射面６２の入射面６１側から入射面６５側に亘り、入射面６１，６５と垂直な向き（第２方向）に沿って共通の配列ピッチで形成されている。また、平面部６２ｂの幅に対する凸部６２ａの幅の比は、出射面６２上を入射面６１あるいは入射面６５側から導光板６の中央部に向かうにつれて、次第に大きくなる。
【００８１】
図３２は、導光板６を出射面６２側から見た平面図である。図３２に示すように、出射面６２の入射面６１に近い領域では、凸部６２ａの幅に対して平面部６２ｂの幅が広い。しかし第２方向に沿って凸部６２ａは例えばその幅が漸次広がり、導光板６の中央部では隣り合う凸部６２ａはほぼ接していて、凸部６２ａ間に平面部６２ｂはほとんど形成されていない。ここで、第２方向に沿った凸部６２ａの幅の増加の仕方は、連続的に増加していれば線形的でも非線形的でもよく、第２方向の輝度分布をなだらかにする観点から適宜調整する。なお、凸部６２ａの配列ピッチは１００μｍに設定されている。
【００８２】
＜Ｃ−２．輝度分布＞
次に、導光板６の輝度分布について説明する。図３３は、導光板６の出射面６２における輝度分布のシミュレーション結果を示している。この図では輝度の高さを色の濃淡で表し、色が濃いほど輝度が高いことを示している。図に示すように、表示エリア内で若干の輝度ムラは認められるが、局所的に輝度が高くなるホットスポットは発生していない。
【００８３】
図３４は、表示エリア内の光源１近傍における出射面６２の第１方向に沿った相対輝度変化を示している。横軸は距離を、縦軸は所定位置の輝度を１とした相対輝度を示している。Ｅ１で示すグラフは図３３のＥ１−Ｅ１断面の輝度分布を、Ｅ２で示すグラフは図３３のＥ２−Ｅ２断面の輝度分布を示している。なお、図３３のＥ１−Ｅ１断面は表示エリア端部から約２．５ｍｍの位置にあり、Ｅ２−Ｅ２断面は表示エリア端部から約１０ｍｍの位置にある。図より、Ｅ１−Ｅ１断面では輝度変化が±１割程度あるものの、Ｅ２−Ｅ２断面では輝度ムラが殆ど認められないことが分かる。
【００８４】
図３５は、出射面６２の第２方向に沿った輝度変化を示している。横軸は表示エリア左端からの距離を、縦軸は輝度を示している。図３５中、Ｅ３で示すグラフは図３３の光源対応領域であるＥ３−Ｅ３断面の輝度分布を示し、Ｅ４で示すグラフは図３３の光源間対応領域であるＥ４−Ｅ４断面の輝度分布を示している。なお、図３５は入射面６１から導光板中央部近傍までの輝度分布を示しており、入射面６５側の輝度分布は示していない。図より、Ｅ３−Ｅ３断面、Ｅ４−Ｅ４断面共に、入射面６１側から導光板中央に向かって輝度がなだらかに増加していることが分かる。なお、導光板６は導光板中央部を軸に左右対称構造であるため、入射面６５近傍の輝度分布は入射面６１近傍の輝度分布と同等である。
【００８５】
以上の結果を総合して、第１方向および第２方向共に、輝度変化の少ない輝度分布が得られた。
【００８６】
＜Ｃ−３．効果＞
本実施の形態のバックライトでは、導光板６の両端面が入射面６１，６５となり、出射面６２上を入射面６１側から入射面６５側まで筋状の突起（凸部６２ａ）が形成される。入射面６１，６５に近い位置でホットスポットが発生しやすいため、当該領域では凸部６２ａの幅を小さくする。また、最も入射面６１，６５から離れた導光板中央部では凸部６２ａの幅を最も大きくする。よって、ホットスポットを抑制しつつ、第２方向の輝度分布がなだらかになる。
【００８７】
（Ｄ．実施の形態４）
＜Ｄ−１．構成＞
図３６は、実施の形態４のバックライトを示す分解斜視図である。以下の図面では、実施の形態３の構成要素と同じ機能を有する構成要素に同じ参照符号を付す。実施の形態４のバックライトは、複数の点状の光源１と、導光板７と、反射シート３とを備えている。実施の形態４のバックライトは、導光板７の出射面の形状を除いて実施の形態３のバックライトと同様である。そのため、以下には導光板７の構成について説明する。
【００８８】
導光板７は、入射面７１と、入射面７１に対向する入射面７５と、出射面７２と、出射面７２に対向する底面７３と、側面７４とを備えている。出射面７２を除く各面の構成は実施の形態３における導光板６の対応する各面と同様であるため、説明を省略する。
【００８９】
図３７は、図３６に示す領域Ｉの拡大図である。この図は、出射面７２の光源対応領域の形状を示している。出射面７２の光源対応領域は、実施の形態３の導光板６の出射面６２と同様の形状を有している。すなわち図３７に示すように、入射面７１と平行な断面が三角形状である凸部７２ａが繰り返し形成されている。隣接する凸部７２ａ間は平面部７２ｂとなる。凸部７２ａは、出射面７２の入射面７１側から入射面７５側に亘って入射面７１，７５と垂直な第２方向に伸びる筋状の突起であり、第１方向に沿った配列ピッチは一定で１００μとする。また、平面部７２ｂの幅に対する凸部７２ａの幅の比は、出射面７２上を入射面７１あるいは入射面７５から導光板中央部に向かうにつれて、次第に大きくなる。
【００９０】
図３８は、図３６に示す領域Ｊの拡大図である。この図は、出射面７２の光源間対応領域の形状を示している。光源間対応領域でも凸部７２ａが形成されるが、光源対応領域とは違って凸部７２ａが隙間無く形成され、平面部７２ｂは存在しない。光源間対応領域における凸部７２ａの配列ピッチは、光源対応領域における凸部７２ａの配列ピッチと共通である。また、光源間対応領域における凸部７２ａの幅は、入射面７１側から入射面７５側まで一定である。
【００９１】
図３９は、導光板７を出射面７２側から見た平面図である。図３９に示すように、光源対応領域のうち入射面７１あるいは入射面７５に近い領域では、凸部７２ａの幅に対して平面部７２ｂの幅が広い。しかし、入射面７１あるいは入射面７５から第２方向に沿って光源１から遠ざかるにつれ、凸部７２ａは例えば幅が徐々に広がる。導光板中央部では、隣接する凸部７２ａはほぼ接しており、凸部７２ａ間に平面部７２ｂはほとんど形成されない。ここで第２方向に沿った凸部７２ａの幅の増加の仕方は、連続的に増加していれば線形的でも非線形的でも良く、第２方向の輝度分布をなだらかにする観点から適宜調整する。
【００９２】
一方、光源間対応領域では、入射面７１側から入射面７５側に至るまで凸部７２ａの幅は均一である。また、凸部７２ａは隙間無く配列されており隣接する凸部７２ａ間に平面部は形成されない。ここで、凸部７２ａの配列ピッチは出射面７２の全領域に亘って１００μｍに設定している。
【００９３】
＜Ｄ−２．輝度分布＞
次に、導光板７の輝度分布について説明する。図４０は、導光板７の表示エリア内の光源１近傍における出射面７２の第１方向に沿った相対輝度を示している。Ｆ１で示すグラフは表示エリア左端から約２．５ｍｍの位置における第１方向の輝度分布を、Ｆ２で示すグラフは表示エリア端部から約１０ｍｍの位置における第１方向の輝度分布を示している。図より、入射面７１に沿った第１方向の輝度変化は±１割以下であり、良好な輝度特性が得られていることが分かる。
【００９４】
図４１は、出射面７２の第２方向に沿った輝度変化を示している。横軸は表示エリア左端からの距離を、縦軸は輝度を示している。なお、入射面７１から導光板中央部近傍までの輝度分布を示しており、入射面７５側の輝度分布を示すものではない。しかし、導光板７は導光板中央部を軸に左右対称な構造であるため、入射面７５近傍の輝度分布は入射面７１近傍の輝度分布と同等である。図中、Ｆ３で示すグラフは光源対応領域の第２方向に沿った断面（図３３のＥ３に対応）の輝度分布を示している。また、Ｆ４で示すグラフは、光源間対応領域の第２方向に沿った断面（図３３のＥ４に対応）の輝度分布を示している。図より、光源対応領域、光源間対応領域共に、第２方向では入射面７１側から導光板中央に向かってなだらかに輝度が増加していることが分かる。
【００９５】
以上の結果を総合して、第１方向および第２方向共に、輝度変化の少ない輝度分布が得られた。
【００９６】
＜Ｄ−３．効果＞
本実施の形態のバックライトでは、導光板７の両端面が入射面７１，７５となり、出射面７２上に入射面７１側から入射面７５側まで筋状の突起（凸部７２ａ）が形成される。入射面７１，７５に近い位置でホットスポットが発生しやすいため、当該領域では凸部７２ａの幅を小さくする。また、最も入射面７１，７５から離れた導光板中央部では凸部７２ａの幅を最も大きくする。よって、ホットスポットを抑制しつつ、第２方向の輝度分布がなだらかになる。
【００９７】
また、導光板７の出射面７２の光源間対応領域では隙間無く凸部７２ａ（突起）が形成され、かつその幅は入射面７１側から入射面７５側に亘って一定に形成される。そのため、入射面７１，７５に近い領域では光源対応領域よりも光源間対応領域での集光効果が高くなるので、両領域での輝度の差が緩和され、すなわち第１方向の輝度ムラが抑制される。
【００９８】
（Ｅ．実施の形態５）
＜Ｅ−１．構成＞
図４２は、実施の形態５のバックライトにおける導光板８の光源対応領域を示す斜視図である。導光板８は、入射面８１と、入射面８１の対向面８５と、入射面８１に垂直な出射面８２と、出射面８２に対向する底面８３と、側面８４とを備えている。実施の形態５のバックライトの基本的形状は、実施の形態２のバックライトと同様である。
【００９９】
出射面８２の光源対応領域には、第１方向断面が三角形状の凸部８２ａが繰り返し形成される。隣接する凸部８２ａの間の領域は平面部８２ｂとなる。凸部８２ａは、出射面８２の入射面８１側から対向面８５側に亘って入射面８１と垂直な第２方向に伸びる筋状の突起であり、第１方向に沿った配列ピッチは一定で１００μｍとする。また、平面部８２ｂの幅に対する凸部８２ａの幅の比は、出射面８２上を入射面８１側から第２方向に向かうにつれて次第に大きくなり、対向面８５側で最大になる。
【０１００】
図４３は、図４２に示す領域Ｋの拡大断面図であり、入射面８１近傍に形成された凸部８２ａの、入射面８１の長手方向（第１方向）断面図を示している。また、図４４は、図４２に示す領域Ｌの拡大断面図であり、対向面８５近傍に形成された凸部８２ａの、第１方向断面図を示している。図４４に示すように、凸部８２ａは対向面８５側では入射面８１側よりも幅が大きく形成されるが、第１方向断面形状が相似形を保ったまま、高さを大きくすることによって幅を広く形成している。すなわち、入射面８１から第２方向に離れるに従って、凸部８２ａは頂点角度を変えることなく高さが高くなり、対向面８５側では、凸部８２ａ間に平面部８２ｂがほとんど形成されない程度に凸部８２ａは高く形成される。
【０１０１】
図４５は、光源対応領域における入射面８１からの距離に応じた凸部８２ａの高さを示した図である。凸部８２ａの高さは入射面８１に近い領域で５μｍ程度、入射面８１から離れた領域では５０μｍ程度で一定となっている。凸部８２ａの高さの変化は連続的であればよく、図４５に示す特性に限るものではない。
【０１０２】
なお、出射面８２の光源間対応領域では、凸部８２ａは実施の形態２の導光板におけると同様に、隙間無く第２方向に一定の幅で形成される。凸部８２ａの高さは約５０μｍで第２方向に亘って一定に形成される。
【０１０３】
＜Ｅ−２．輝度分布＞
図４６は、図４５に示す条件で凸部８２ａを形成した場合の、表示エリア内の光源１近傍における出射面８２の第１方向に沿った相対輝度変化を示している。横軸は距離を、縦軸は所定位置の輝度を１とした相対輝度を示している。図中、Ｇ１，Ｇ２で示すグラフは、それぞれ図２３に示した実施の形態２の導光板５におけるＤ１−Ｄ１断面、Ｄ２−Ｄ２断面に対応する、導光板８の断面（Ｇ１−Ｇ１断面、Ｇ２−Ｇ２断面）の輝度分布を示す。図より、いずれの断面においても輝度変化は±５％以下と小さいことが分かる。
【０１０４】
図４７は、出射面８２の第２方向に沿った輝度変化を示している。横軸は表示エリア左端からの距離を、縦軸は輝度を示している。図中、Ｇ３，Ｇ４で示すグラフは、それぞれ図２３に示した実施の形態２の導光板５におけるＤ３−Ｄ３断面、Ｄ４−Ｄ４断面に対応する導光板８の断面（Ｇ３−Ｇ３断面、Ｇ４−Ｇ４断面）の輝度分布を示す。図より、いずれの断面においても輝度変化はなだらかであることが分かる。以上により、実施の形態５のバックライトは第１方向、第２方向共に輝度変化が小さく、表示品位が良好であるといえる。
【０１０５】
一般的に、導光板の成形は金型を用いた射出成形によることが多く、上述の凸部８２ａのような微細構造は、切削バイトを用いて金型を切削加工することにより形成される。異なる形状の微細構造を形成するときは種類の異なる切削バイトを順次交換して加工する場合がある。しかし、実施の形態５の導光板８では、凸部８２ａの第１方向断面形状が第２方向に沿って相似関係を保つため、１種類の切削バイトのみを利用し、図４５に示した凸部８２ａの高さに合わせて切削深さを変化させることにより、一度の工程で凸部８２ａを形成することが可能である。
【０１０６】
なお、本実施の形態では、実施の形態２のバックライトの構成において、導光板出射面の凸部の第１方向断面形状を相似関係を保って変化させることについて説明した。しかし、実施の形態１，３，４のバックライトに対しても本実施の形態は適用される。
【０１０７】
＜Ｅ−３．効果＞
本実施の形態のバックライトにおいて、導光板８の出射面８２に形成される凸部８２ａは、入射面８１に平行な断面（第１方向断面）が、入射面８１から離れるにつれて相似形を保って大きくなるように形成される。そのため、金型を用いた射出成形により導光板８を形成する場合には、切削深さを変化させることにより、１種類の切削バイトを用いた一度の工程で凸部８２ａを形成することができ、製造コストを抑えることが出来る。
【０１０８】
（Ｆ．実施の形態６）
＜Ｆ−１．構成＞
実施の形態６のバックライトは、実施の形態５のバックライトの構成において、導光板の出射面上に形成される凸部の頂点に曲率を持たせたものである。
【０１０９】
図４８は、実施の形態６のバックライトにおける導光板９の光源対応領域を示す斜視図である。導光板９は、入射面９１と、入射面９１の対向面９５と、入射面９１に垂直な出射面９２と、出射面９２に対向する底面９３と、側面９４とを備えている。実施の形態６のバックライトのうち、出射面９２に形成された凸部９２ａ以外の構成は、実施の形態５のバックライトと同様であるので、説明を省略する。
【０１１０】
出射面９２の光源対応領域には、第１方向断面が略三角形状の凸部９２ａが繰り返し形成される。隣接する凸部９２ａの間の領域は平面部９２ｂとなる。凸部９２ａは、出射面９２の入射面９１側から対向面９５側に亘って入射面９１と垂直な第２方向に伸びる筋状の突起であり、第１方向に沿った配列ピッチは一定で１００μｍとする。また、平面部９２ｂの幅に対する凸部９２ａの幅の比は、出射面９２上を入射面９１側から第２方向に向かうにつれて次第に大きくなり、対向面９５側で最大になる。
【０１１１】
図４９は、図４８に示す領域Ｍの拡大断面図であり、入射面９１近傍に形成された凸部９２ａの、入射面９１の長手方向（第１方向）断面図を示している。また、図５０は、図４８に示す領域Ｎの拡大断面図であり、対向面９５近傍に形成された凸部９２ａの、第１方向断面図を示している。凸部９２ａは対向面９５側では入射面９１側よりも幅が大きく形成されるが、第１方向断面形状が相似形を保ったまま、高さを大きくすることによって幅を広く形成している。すなわち、入射面９１から第２方向に離れるに従って、凸部９２ａは頂点角度を変えることなく高さが高くなり、対向面９５側では、凸部９２ａ間に平面部９２ｂがほとんど形成されない程度に凸部９２ａは高く形成される。
【０１１２】
さらに、凸部９２ａは第１方向断面の略三角形状の先端に１５μｍの曲率半径を有している。入射面９１近傍では凸部９２ａが低く形成されるので、図４９に示すように凸部９２ａの先端部の曲面だけが出射面９２上に出現することになり、凸部９２ａによる集光効果は小さいものとなる。一方、入射面９１から離れるにつれて、凸部９２ａは、第１方向の断面形状を相似形に維持したまま、その高さが高くなる（図５０）。従って、凸部９２ａの内表面積のうち、集光効果を有する斜面の占める割合が先端の曲面よりも大きくなる。そのため、凸部９２ａによる集光効果は大きいものとなる。すなわち、ホットスポットが発生し易い入射面９１近傍の集光効果を実施の形態５よりも抑制することが可能となる。
【０１１３】
なお、出射面９２の光源間対応領域では、凸部９２ａは実施の形態２の導光板におけると同様に、隙間無く第２方向に一定の幅で形成される。凸部９２ａの高さは約５０μｍで、先端に１５μｍの曲率半径を有し、第２方向に亘って一定に形成される。
【０１１４】
＜Ｆ−２．輝度分布＞
図５１は、導光板９の出射面９２における輝度分布のシミュレーション結果を示している。この図では輝度の高さを色の濃淡で表し、色が濃いほど輝度が高いことを示している。図に示すように、表示エリア内ではかなり均一な輝度分布が得られ、輝度ムラはほとんど発生していない。
【０１１５】
図５２は、表示エリア内の光源１近傍における出射面９２の第１方向に沿った相対輝度変化を示している。横軸は距離を、縦軸は所定位置の輝度を１とした相対輝度を示している。Ｈ１で示すグラフは図５１のＨ１−Ｈ１断面の輝度分布を、Ｈ２で示すグラフは図５１のＨ２−Ｈ２断面の輝度分布を示している。図によれば、第１方向の輝度変化はＨ１−Ｈ１断面、Ｈ２−Ｈ２断面共に±５％以下と非常に小さい。
【０１１６】
図５３は、出射面９２の第２方向に沿った輝度変化を示している。横軸は表示エリア左端からの距離を、縦軸は輝度を示している。図５３中、Ｈ３で示すグラフは図５１のＨ３−Ｈ３断面の輝度分布を示し、Ｈ４で示すグラフは図５１のＨ４−Ｈ４断面の輝度分布を示している。図より、第２方向の輝度変化は非常になだらかである。
【０１１７】
以上の結果を総合すると、実施の形態６のバックライトは第１方向、第２方向共に輝度変化がなだらかで、表示品位が良好であることが分かる。
【０１１８】
また、実施の形態５と同様に凸部９２ａは断面形状の相似関係を保つため、導光板９の加工が容易である。すなわち、導光板９の金型加工時に、先端部に曲率を有する切削バイト１種類を用いて、切削深さを変化させながら１度の工程で凸部９２ａを形成することが出来る。
【０１１９】
＜Ｆ−３．効果＞
本実施の形態のバックライトでは、導光板９の出射面９２上を第２方向に延在して凸部９２ａが形成される。凸部９２ａは、入射面９１側から対向面９５側にかけて、第１方向断面形状の相似形を保ったまま、その幅が大きくなるように形成される。また、凸部９２ａの第１方向断面形状は略三角形であって、その先端は所定の曲率を有する。そのため、凸部９２ａの先端が曲率を有さない場合と比較して、入射面９１側でさらに集光効果を抑制することが可能であるため、入射面近傍の輝度ムラを抑制することが可能となる。
【０１２０】
（Ｇ．実施の形態７）
図５４は、実施の形態７の液晶表示装置の構成を示す分解斜視図である。当該液晶表示装置は、実施の形態１のバックライトと、液晶パネル４を備える。液晶パネル４は、導光板２の出射面２２に対向して配置される。実施の形態１のバックライトは、第１方向、第２方向共に輝度分布がなだらかであるので、当該バックライトを液晶パネル４に搭載することによって、表示品位の良好な液晶表示装置となる。
【０１２１】
また、カーナビゲーション用途に用いる場合は、導光板２と液晶パネル４の間に視野角調整フィルム等を設け、第１方向に広がって放射される光をカットすることにより、さらに表示品位を高めることが可能である。
【０１２２】
なお、上記には実施の形態１のバックライトを用いた液晶表示装置について説明したが、実施の形態２〜６のいずれのバックライトを用いても、表示品位の良好な液晶表示装置となる。
【符号の説明】
【０１２３】
１  光源、２，５，６，７，８，９，１１，１２  導光板、２１，５１，６１，７１，８１，９１  入射面、２２，５２，６２，７２，８２，９２  出射面、２２ａ，５２ａ，６２ａ，７２ａ，８２ａ，９２ａ  凸部、２５，５５，８５，９５  対向面。
【図１】
2013143326.tif 000003
【図２】
2013143326.tif 000004
【図３】
2013143326.tif 000005
【図４】
2013143326.tif 000006
【図５】
2013143326.tif 000007
【図６】
2013143326.tif 000008
【図１９】
2013143326.tif 000009
【図２０】
2013143326.tif 000010
【図２１】
2013143326.tif 000011
【図２２】
2013143326.tif 000012
【図２８】
2013143326.tif 000013
【図２９】
2013143326.tif 000014
【図３０】
2013143326.tif 000015
【図３１】
2013143326.tif 000016
【図３２】
2013143326.tif 000017
【図３６】
2013143326.tif 000018
【図３７】
2013143326.tif 000019
【図３８】
2013143326.tif 000020
【図３９】
2013143326.tif 000021
【図４２】
2013143326.tif 000022
【図４３】
2013143326.tif 000023
【図４４】
2013143326.tif 000024
【図４８】
2013143326.tif 000025
【図４９】
2013143326.tif 000026
【図５０】
2013143326.tif 000027
【図５４】
2013143326.tif 000028
【図７】
2013143326.tif 000029
【図８】
2013143326.tif 000030
【図９】
2013143326.tif 000031
【図１０】
2013143326.tif 000032
【図１１】
2013143326.tif 000033
【図１２】
2013143326.tif 000034
【図１３】
2013143326.tif 000035
【図１４】
2013143326.tif 000036
【図１５】
2013143326.tif 000037
【図１６】
2013143326.tif 000038
【図１７】
2013143326.tif 000039
【図１８】
2013143326.tif 000040
【図２３】
2013143326.tif 000041
【図２４】
2013143326.tif 000042
【図２５】
2013143326.tif 000043
【図２６】
2013143326.tif 000044
【図２７】
2013143326.tif 000045
【図３３】
2013143326.tif 000046
【図３４】
2013143326.tif 000047
【図３５】
2013143326.tif 000048
【図４０】
2013143326.tif 000049
【図４１】
2013143326.tif 000050
【図４５】
2013143326.tif 000051
【図４６】
2013143326.tif 000052
【図４７】
2013143326.tif 000053
【図５１】
2013143326.tif 000054
【図５２】
2013143326.tif 000055
【図５３】
2013143326.tif 000056